(57)【要約】【課題】光ディスク記録媒体が装着されたとき、単層又は２層の記録層を有する光ディスク記録媒体が３層以上の記憶層を有する多層光ディスク記録媒体であると誤って判別された場合であっても、再生パワーによる光ディスク記録媒体の劣化や破壊を防止する。【解決手段】光ディスク記録媒体が装着されたとき、光ディスク記録媒体に対して光ピックアップ部によりフォーカスサーチを行い、フォーカスサーチの結果に基づいて光ディスク記録媒体の種類を判別する。３層以上の記録層を有する多層光ディスク記録媒体であると判別されたとき、３層以上の記録層を有する多層光ディスク記録媒体と同じ規格であるとともに単層又は２層の記録層を有する光ディスク記録媒体用の再生パワーを光ピックアップ部に設定し、設定した再生パワーでの再生動作により、光ディスク記録媒体の種類を示す光ディスク情報を読み出す。【選択図】図１
2012256396.tif 000002
【特許請求の範囲】
【請求項１】
光ディスク記録媒体が装着されたとき、前記装着された光ディスク記録媒体に対してフォーカスサーチを行う光ピックアップ部と、
前記フォーカスサーチの結果に基づいて、前記装着された光ディスク記録媒体の種類を判別する判別回路部と、
前記判別回路部が前記装着された光ディスク記録媒体を３層以上の記録層を有する多層光ディスク記録媒体であると判別したとき、前記多層光ディスク記録媒体と同じ規格であるとともに単層又は２層の記録層を有する光ディスク記録媒体用の再生パワーを前記光ピックアップ部に設定する光出力設定回路部と、
前記光出力設定回路部が設定した再生パワーでの再生動作により、前記装着された光ディスク記録媒体の種類を示す光ディスク情報を前記装着された光ディスク記録媒体から読み出す再生制御回路部と、
を備えることを特徴とする光ディスク装置。
【請求項２】
前記再生制御回路部が前記光ディスク情報を読み出したとき、前記光出力設定回路部が前記光ピックアップ部の再生パワーを、前記光ディスク情報が示す前記装着された光ディスク記録媒体の種類に応じた再生パワーに切り替えることを特徴とする請求項１に記載の光ディスク装置。
【請求項３】
前記光出力設定回路部は、前記光ピックアップ部の再生パワーを、前記光ディスク情報が示す前記装着された光ディスク記録媒体の種類に応じた再生パワーに切り替えたのち、前記光ピックアップ部の光出力制御に必要なパラメータを前記再生パワーに応じて調整することを特徴とする請求項２に記載の光ディスク装置。
【請求項４】
前記装着された光ディスク記録媒体がブルーレイディスクであることを特徴とする請求項１〜請求項３のいずれかに記載の光ディスク装置。
【請求項５】
光ディスク記録媒体が装着されたとき、前記装着された光ディスク記録媒体に対してフォーカスサーチが行われるステップと、
前記フォーカスサーチの結果に基づいて、前記装着された光ディスク記録媒体の種類が判別されるステップと、
前記判別されるステップにおいて前記装着された光ディスク記録媒体が３層以上の記録層を有する多層光ディスク記録媒体であると判別されたとき、前記多層光ディスク記録媒体と同じ種類であるとともに単層又は２層の記録層を有する光ディスク記録媒体用の再生パワーが設定されるステップと、
前記設定されるステップにおいて設定された前記再生パワーでの再生動作により、前記装着された光ディスク記録媒体の種類を示す光ディスク情報が前記装着された光ディスク記録媒体から読み出されるステップと、
を備えることを特徴とする光ディスク装置の再生パワー設定方法。
【発明の詳細な説明】
【技術分野】
【０００１】
本発明は、光ディスク記録媒体に対して再生動作を行う光ディスク装置に関し、特に光ディスク装置の再生パワー設定方法に関する。
【背景技術】
【０００２】
現在、ＣＤ（Compact Disc）やＤＶＤ（Digital Versatile Disc）、ＢＤ（Blue-ray Disc：登録商標）などの光ディスク記録媒体が広く普及している。これらの光ディスク記録媒体では単層又は２層の記録層を有しているが、記憶容量をさらに増大させるために、３層以上の記録層を有する多層光ディスク記録媒体も実用されつつある。（以下では、単層又は２層の記録層を有する光ディスク記録媒体と区別するために、３層以上の記録層を有する光ディスク記録媒体のみを「多層光ディスク記録媒体」と呼ぶ。）たとえば、ＢＤでは、３〜８層の記録層を有するＢＤＸＬ（登録商標）が規格化されており、そのうち、３層の記録層を有するＢＤＴＬや、４層の記録層を有するＢＤＱＬが実用化されている。
【０００３】
たとえば、特許文献１では、記録再生可能な７層の記録層と再生専用の１層の記録層とを有する多層光ディスク記録媒体が開示されている。また、特許文献２では、ｎ層（ｎ＝２〜８）の記録層を有する光ディスク記録媒体が記載されている。また、特許文献３では、２層又は３層以上の記録層を有する光ディスク記録媒体が記載されている。また、特許文献４では、複数の記録層を有する光ディスク記録媒体の開発が行われていることが記載されている。
【先行技術文献】
【特許文献】
【０００４】
【特許文献１】特開２０１０−１８６５４５号公報
【特許文献２】特開２０１０−１６０８６４号公報
【特許文献３】特開２００９−１４０５８０号公報
【特許文献４】特開２００３−２５７０７２号公報
【発明の概要】
【発明が解決しようとする課題】
【０００５】
しかしながら、３層以上の記録層を有する多層光ディスク記録媒体では、単層又は２層の記録層を有する従来の光ディスク記録媒体と比較して、より大きな光出力を必要とする。そのため、光ディスク装置に光ディスク記録媒体をマウントしたときに、単層又は２層の記録層を有する光ディスク記録媒体が３層以上の記録層を有する多層光ディスク記録媒体であると誤って判別されると、過大な光出力が設定され、再生動作時の光出力（すなわち、再生パワー）により光ディスク記録媒体が劣化したり破壊されたりすることがある。
【０００６】
たとえば、ＢＤでは、ＣＤやＤＶＤなどと比べて、記録面での反射率が低く、記録面側の保護層が非常に薄い。そのため、ＢＤの反りやうねり、フォーカス誤差などにより、装着された光ディスク記録媒体がＢＤＳＬやＢＤＤＬであっても、ＢＤＸＬであると誤認識され易い。そして、ＢＤＳＬやＢＤＤＬに対して再生動作を行うとき、ＢＤＸＬ用の再生パワーが設定されていると、ＢＤＳＬやＢＤＤＬが劣化したり破壊されたりすることになる。
【０００７】
特許文献１では、光ディスク記録媒体のアドレス情報を再生するとき、記録再生可能な記録層用の再生パワーに設定することしか開示しておらず、特許文献２では、多層光ディスク記録媒体の記録層数の判別方法を開示しているが、多層光ディスク記録媒体の記録層数を誤って判別した場合の処理についての記載はない。そのため、上述のような問題は解決し得ない。また、特許文献３では、再生パワーを基準再生パワーに設定したのち、再生パワーを所定量変化させながら測定したジッタ値の変化量に基づいて、多層光ディスク記録媒体に対して最適な再生パワーを求めているが、基準再生パワーはレーザノイズの影響を受ける程度の低いパワーであることしか記載されていない。また、特許文献４では、１層の記録層を有する光ディスク記録媒体であるか２層の記録層を有する光ディスク記録媒体であるかを判別した結果に基づいて、再生パワー及び記録パワーを設定することしか開示していない。
【０００８】
このように、特許文献１〜４においても、単層又は２層の記録層を有する光ディスク記録媒体が３層以上の記憶層を有する多層光ディスク記録媒体であると誤って判別されると、再生パワーにより光ディスク記録媒体が劣化したり破壊されたりすることになる。
【０００９】
本発明は、上記の問題を鑑みてなされたものであり、その目的は、光ディスク記録媒体が装着されたとき、単層又は２層の記録層を有する光ディスク記録媒体が３層以上の記憶層を有する多層光ディスク記録媒体であると誤って判別された場合であっても、再生パワーによる光ディスク記録媒体の劣化や破壊を防止することができる光ディスク装置、及び光ディスク装置の再生パワー設定方法を提供することを目的とする。
【課題を解決するための手段】
【００１０】
上記目的を達成するために本発明の光ディスク装置は、光ディスク記録媒体が装着されたとき、前記装着された光ディスク記録媒体に対してフォーカスサーチを行う光ピックアップ部と、前記フォーカスサーチの結果に基づいて、前記装着された光ディスク記録媒体の種類を判別する判別回路部と、前記判別回路部が前記装着された光ディスク記録媒体を３層以上の記録層を有する多層光ディスク記録媒体であると判別したとき、前記多層光ディスク記録媒体と同じ規格であるとともに単層又は２層の記録層を有する光ディスク記録媒体用の再生パワーを前記光ピックアップ部に設定する光出力設定回路部と、前記光出力設定回路部が設定した再生パワーでの再生動作により、前記装着された光ディスク記録媒体の種類を示す光ディスク情報を前記装着された光ディスク記録媒体から読み出す再生制御回路部と、を備える。
【００１１】
上記構成によれば、光ディスク記録媒体が装着されたとき、光ディスク記録媒体の種類がフォーカスサーチの結果に基づいて判別される。３層以上の記録層を有する多層光ディスク記録媒体であると判別されると、３層以上の記録層を有する多層光ディスク記録媒体と同じ規格であるとともに単層又は２層の記録層を有する光ディスク記録媒体用の再生パワーが設定される。そして、設定された再生パワーでの再生動作により、光ディスク記録媒体の種類を示す光ディスク情報が光ディスク記録媒体から読み出される。従って、光ディスク記録媒体が装着されたとき、単層又は２層の記録層を有する光ディスク記録媒体が３層以上の記憶層を有する多層光ディスク記録媒体であると誤って判別された場合であっても、再生パワーによる光ディスク記録媒体の劣化や破壊を防止することができる。
【００１２】
上記構成において、前記再生制御回路部が前記光ディスク情報を読み出したとき、前記光出力設定回路部が前記光ピックアップ部の再生パワーを、前記光ディスク情報が示す前記装着された光ディスク記録媒体の種類に応じた再生パワーに切り替えてもよい。
【００１３】
さらに、上記構成において、前記光出力設定回路部は、前記光ピックアップ部の再生パワーを、前記光ディスク情報が示す前記装着された光ディスク記録媒体の種類に応じた再生パワーに切り替えたのち、前記光ピックアップ部の光出力制御に必要なパラメータを前記再生パワーに応じて調整してもよい。
【００１４】
また、上記構成において、前記装着された光ディスク記録媒体がブルーレイディスクであってもよい。
【００１５】
また、上記目的を達成するために本発明の光ディスク装置の再生パワー設定方法は、光ディスク記録媒体が装着されたとき、前記装着された光ディスク記録媒体に対してフォーカスサーチが行われるステップと、前記フォーカスサーチの結果に基づいて、前記装着された光ディスク記録媒体の種類が判別されるステップと、前記判別されるステップにおいて前記装着された光ディスク記録媒体が３層以上の記録層を有する多層光ディスク記録媒体であると判別されたとき、前記多層光ディスク記録媒体と同じ種類であるとともに単層又は２層の記録層を有する光ディスク記録媒体用の再生パワーが設定されるステップと、前記設定されるステップにおいて設定された前記再生パワーでの再生動作により、前記装着された光ディスク記録媒体の種類を示す光ディスク情報が前記装着された光ディスク記録媒体から読み出されるステップと、を備える。
【００１６】
上記構成によれば、光ディスク記録媒体が装着されたとき、光ディスク記録媒体の種類がフォーカスサーチの結果に基づいて判別される。３層以上の記録層を有する多層光ディスク記録媒体であると判別されると、３層以上の記録層を有する多層光ディスク記録媒体と同じ規格であるとともに単層又は２層の記録層を有する光ディスク記録媒体用の再生パワーが設定される。そして、設定された再生パワーでの再生動作により、光ディスク記録媒体の種類を示す光ディスク情報が光ディスク記録媒体から読み出される。従って、光ディスク記録媒体が装着されたとき、単層又は２層の記録層を有する光ディスク記録媒体が３層以上の記憶層を有する多層光ディスク記録媒体であると誤って判別された場合であっても、再生パワーによる光ディスク記録媒体の劣化や破壊を防止することができる。
【発明の効果】
【００１７】
本発明によれば、光ディスク記録媒体が装着されたとき、光ディスク記録媒体の種類がフォーカスサーチの結果に基づいて判別される。３層以上の記録層を有する多層光ディスク記録媒体であると判別されると、３層以上の記録層を有する多層光ディスク記録媒体と同じ規格であるとともに単層又は２層の記録層を有する光ディスク記録媒体用の再生パワーが設定される。そして、設定された再生パワーでの再生動作により、光ディスク記録媒体の種類を示す光ディスク情報が光ディスク記録媒体から読み出される。従って、光ディスク記録媒体が装着されたとき、単層又は２層の記録層を有する光ディスク記録媒体が３層以上の記憶層を有する多層光ディスク記録媒体であると誤って判別された場合であっても、再生パワーによる光ディスク記録媒体の劣化や破壊を防止することができる。
【図面の簡単な説明】
【００１８】
【図１】本発明を適用した光ディスク装置の構成図である。
【図２】光ディスク装置の再生パワー設定方法の第１実施形態を示すフローチャートである。
【図３】光ディスク装置の再生パワー設定方法の第２実施形態を示すフローチャートである。
【発明を実施するための形態】
【００１９】
以下に本発明の実施形態について図面を参照して説明する。
【００２０】
本発明を適用した光ディスク装置１は、たとえばＢＤプレイヤーであり、たとえば、ＢＤ（Blu-ray Disc：登録商標）などの着脱可能な光ディスク２に対して情報の書き込み（記録）や読み出し（再生）を行う。光ディスク装置１に対応する光ディスク２は、ＢＤＸＬ（登録商標）、ＢＤＳＬ及びＢＤＤＬなどのＢＤを少なくとも含む光ディスク記録媒体である。なお、ＢＤＸＬは３層以上の記録層を有するＢＤ（３層以上の記録層を有する多層光ディスク記録媒体）である。また、ＢＤＳＬは単層の記録層を有するＢＤであり、ＢＤＤＬは２層の記録層を有するＢＤである。そのほかに、光ディスク装置１に対応する光ディスク２には、たとえばＤＶＤ（Digital Versatile Disc）やＣＤ（Compact Disc）などの光ディスク記録媒体が含まれるが、特に限定しない。
【００２１】
図１は、本発明を適用した光ディスク装置の構成図である。図１に示すように、光ディスク装置１は、光ピックアップ部１０と、メモリ２０（記憶部）と、制御回路部３０と、ＬＤドライバ４０と、スレッドモータ５０と、スピンドルモータ６０と、サーボ回路部７０と、映像音声処理回路部８０と、出力回路部９０と、を備えている。この他、光ディスク装置１は、ＨＤＤ（Hard Disk Drive）などの記憶装置を備えていてもよい。
【００２２】
光ピックアップ部１０は、光ディスク装置１に光ディスク２がマウント（装着）されたとき、光ディスク２に対してフォーカスサーチを行うとともに、マウントされた光ディスク２に対して、データの書き込み（記録）や読み出し（再生）を行う。光ピックアップ部１０は、レーザダイオード１０１と、ビームスプリッタ１０２と、対物レンズ１０３と、アクチュエータ１０４と、フォトダイオード１０５と、を有している。なお、以下では、レーザダイオードをＬＤと呼び、フォトダイオードをＰＤと呼ぶ。
【００２３】
ＬＤ１０１は、ＬＤドライバ４０から供給される駆動電力に応じた強さのレーザ光を出射する半導体レーザ素子であり、ＢＤ用のレーザ光を出射する第１ＬＤ１０１ａと、ＤＶＤ用のレーザ光を出射する第２ＬＤ１０１ｂと、を有している。このほか、ＬＤ１０１はＣＤ用のレーザ光を出射する第３ＬＤを有していてもよい。なお、ＬＤ１０１には一定の定格電圧が印加されている。そのため、実際には、ＬＤ１０１のレーザ光の光出力はＬＤドライバ４０から供給される駆動電流Ｉｏｐにより制御されている。
【００２４】
ビームスプリッタ１０２は、ＬＤ１０１から出射されるレーザ光を、光ディスク装置１にマウントされている光ディスク２の記録面へと導く。また、ビームスプリッタ１０２は、光ディスク２の記録面にて反射されたレーザ光（以下、反射光と呼ぶ。）を、ＰＤ１０５に導く。
【００２５】
対物レンズ１０３は、光ディスク２の記録面に入射するレーザ光を集光して、レーザ光による光スポットを光ディスク２の記録面上に形成する。
【００２６】
アクチュエータ１０４は、フォーカスサーチやトラッキング調整などを行うために、サーボ回路部７０から出力される制御信号に基づいて、対物レンズ１０３をフォーカス方向（光ディスク２の記録面に略垂直な方向）やトラッキング方向（光ディスク２の半径方向）に駆動する。
【００２７】
ＰＤ１０５は、受光する反射光を光電変換し、この反射光の強さに応じた大きさの電流信号を生成する。なお、ＰＤ１０５において生成された電流信号は、所定の変換回路によって、当該電流信号の大きさに対応した電圧信号に変換されるようになっていてもよい。いずれにしても、光ピックアップ部１０によって、反射光の強さに応じた大きさの光電変換信号（電流信号あるいは電圧信号）が生成されることになる。また、この光電変換信号は、反射光の強さを反映しているため、光ディスク２に対して記録又は読み取ったデータを含むとともに、ＬＤ１０１から出射されたレーザ光の光出力の情報をも含んでいる。そこで光ディスク装置は、この光電変換信号をＬＤ１０１が発するレーザ光の光出力をフィードバック制御するための制御信号としても利用する。そのため、ＰＤ１０５から出力される光電変換信号は、ＬＤドライバ４０及び映像音声処理回路部８０に出力される。
【００２８】
メモリ２０は不揮発性の記録媒体である。メモリ２０は、制御回路部３０により利用される制御情報及びプログラムや光ディスク２から読み出した情報（たとえば光ディスク情報などを含む物理情報）などを格納している。制御情報は、光出力データテーブルや切替情報などを含んでいる。光出力データテーブルには、光ディスク２の物理的特性（たとえば、反射率など）、フォーカスサーチの条件（フォーカスサーチに必要な時間など）、ＬＤ１０１のレーザ光の光出力（たとえば、再生パワー及び記録パワー）の設定値、ＬＤ１０１に供給する駆動電力（駆動電圧及び駆動電流Ｉｏｐ）の設定値などが光ディスク２の種類と関連付けられて予め設定されている。また、切替情報は、光ピックアップ部１０の再生パワー（すなわち、再生動作時のＬＤ１０１の光出力）がＢＤＸＬ用の再生パワーに切り替え済みであるか否かを示している。また、光ディスク情報は、光ディスク２の種類などを示す管理情報であり、光ディスク２の内周領域（たとえば、ＢＤのＰＩＣ領域）に記録されている物理情報に含まれている。そのほか、メモリ２０は、映像音声処理回路部８０にて生成されるコンテンツデータや、映像音声出力回路部９０に対して入出力されるデータなどを格納している。
【００２９】
制御回路部３０は、メモリ２０に格納された制御情報やプログラムを利用して光ディスク装置１の各部を制御している。また、制御回路部３０は、判別回路部３０１と、光出力設定回路部３０２と、再生制御回路部３０３と、を有している。
【００３０】
判別回路部３０１は、フォーカスサーチの結果に基づいて、光ディスク２の種類を判別する。なお、光ディスク２の種類とは、光ディスク２の規格（たとえば、ＣＤ、ＤＶＤ、ＢＤなど）、光ディスク２の記録層の数、光ディスク２が再生専用、追記型の記録再生用、書き換え可能型の記録再生用のうちのいずれに該当するか、などを意味している。
【００３１】
光出力設定回路部３０２は、メモリ２０に格納されている光出力データテーブルを参照し、光ディスク２の種類に応じて、ＬＤドライバ４０がＬＤ１０１に供給する駆動電力の電力値を設定するとともに、設定した駆動電力の電力値に応じたＬＤ１０１の光出力の制御、及びＬＤ１０１の発光／停止（すなわち、ＬＤ１０１に駆動電力を供給するか否か）の制御をするための発光制御信号をＬＤドライバ４０に出力する。また、光出力設定回路部３０２は、これらの駆動電力の電力値に応じたＬＤ１０１の光出力の制御、及びＬＤ１０１の発光／停止（すなわち、ＬＤ１０１に駆動電力を供給するか否か）の制御をするための発光制御信号をＬＤドライバ４０に出力する。なお、実際には、ＬＤ１０１に一定値の駆動電圧が印加されるため、ＬＤ１０１の光出力はＬＤ１０１に供給する駆動電流Ｉｏｐにより制御される。従って、光出力設定回路部３０２は、光ディスク２の種類に応じて、ＬＤドライバ４０がＬＤ１０１に供給する駆動電流Ｉｏｐの電流値を設定する。
【００３２】
また、光出力設定回路部３０２は、判別回路部３０１が光ディスク２を３層以上の記録層を有するＢＤＸＬであると判別したとき、ＢＤＸＬと同じ種類であるＢＤＳＬ又はＢＤＤＬ用の再生パワーを光ピックアップ部１０に設定する。このとき、光出力設定回路部３０２はさらに、メモリ２０から切替情報を読み出し、光ピックアップ部１０の再生パワーがＢＤＸＬ用の再生パワーに切り替え済みでないことを切替情報に設定してメモリ２０に上書きで格納する。
【００３３】
また、光出力設定回路部３０２は、再生制御回路部３０３が光ディスク情報を読み出したとき、光ピックアップ部１０の再生パワーを、光ディスク情報が示す光ディスク２の種類に応じた再生パワーに切り替える。このとき、光出力設定回路部３０２はさらに、メモリ２０に格納されている切替情報を参照する。切替情報が、光ピックアップ部１０の再生パワーがＢＤＸＬ用の再生パワーに切り替え済みでないことを示すとき、光出力設定回路部３０２は、ＢＤＸＬ用の再生パワーを光ピックアップ部１０に設定するとともに、切替情報を切り替え済みに設定してメモリ２０に上書きで格納する。
【００３４】
再生制御回路部３０３は、光ディスク装置１に光ディスク２がマウントされたとき、光出力設定回路部３０２が設定した再生パワーでの再生動作により、光ディスク２の種類を示す光ディスク情報を含む物理情報を光ディスク２から読み出す。
【００３５】
ＬＤドライバ４０は、光出力設定回路部３０２から入力される発光制御信号に基づいて、ＬＤ１０１の発光／停止を制御する発光制御回路部である。また、ＬＤドライバ４０は、ＬＤ１０１に一定の駆動電圧を印加するとともに、ＬＤ１０１の光出力制御を行うために、ＬＤ１０１に供給する駆動電流Ｉｏｐの電流値を制御している。また、ＬＤドライバ４０は、ＬＤ１０１の光出力をフィードバック制御するＡＰＣ（Automatic Power Control）機能を有している。ＬＤドライバ４０は、ＬＤ１０１から出射されるレーザ光の光出力（たとえば記録パワーや再生パワー）が変動しないように、ＰＤ１０５から入力される光電変換信号に基づいて、ＬＤ１０１に供給する駆動電流Ｉｏｐの電流値をフィードバック制御している。
【００３６】
スレッドモータ５０は、サーボ回路部７０から出力される制御信号に基づいて、光ディスク２の半径方向に光ピックアップ部１０を移動させる駆動部である。スピンドルモータ６０は、サーボ回路部７０から出力される制御信号に基づいて、光ディスク２を回転させる駆動部である。サーボ回路部７０は、制御回路部３０から入力される制御信号に基づいて、光ピックアップ部１０内のアクチュエータ１０４、スレッドモータ５０、及びスピンドルモータ６０の駆動制御を行っている。
【００３７】
映像音声処理回路部８０は、光電変換信号に対して各種の処理（復調処理など）を施し、光電変換信号に基づいて様々なコンテンツデータ（たとえば、映像データや、音声データ、文字データなど）を生成し、たとえば映像信号や音声信号として出力回路部９０に出力する。出力回路部９０は、外部接続端子を有し、外部の機器に対して映像信号や音声信号、制御信号を入出力するインターフェースである。
＜第１実施形態＞
【００３８】
次に、光ディスク装置１に光ディスク２がマウントされたとき、光ディスク装置１が光ピックアップ部１０に再生パワーを設定する方法の第１実施形態について説明する。図２は、光ディスク装置の再生パワー設定方法の第１実施形態を示すフローチャートである。
【００３９】
まず、光ディスク装置１に光ディスク２がマウント（装着）されると、光ピックアップ部１０が光ディスク２に対してフォーカスサーチを行う（ステップＳ１０１）。このとき、ＬＤ１０１の光出力は光出力設定回路部３０２により予め定められる光出力に設定される。この光出力は、少なくとも光ディスク２の第１記録層（所謂Ｌａｙｅｒ０）に対してフォーカスサーチを適正に行うことができる光出力であればよく、特に限定しない。
【００４０】
次に、判別回路部３０１が、フォーカスサーチの結果に基づいて、光ディスク２の種類を判別する（ステップＳ１０２）。たとえば、判別回路部３０１は、フォーカスサーチの際に光ディスク２の反射率及びフォーカスエラー信号のＳ字カーブの数を検出し、光出力データテーブルを参照して、光ディスク２の種類を判別する。或いは、光出力データテーブルを参照して、フォーカスサーチに要した時間から光ディスク２の種類を判別してもよい。光ディスク２の構造（たとえば、記録面側の保護層の厚さなど）や光学特性（記録面での反射率など）は、光ディスク２の規格（たとえばＣＤ、ＤＶＤ、及びＢＤなど）によって大きく異なるし、光ディスク２の規格が同じあっても、フォーマットによって異なる。たとえば、ＢＤの場合、再生専用のＢＤ−ＲＯＭと、追記型のＢＤ−Ｒと、書き換え可能型のＢＤ−ＲＥとでは記録面の反射率などが異なる。また、ＢＤＳＬ、ＢＤＤＬ、及びＢＤＸＬでは記録面側の保護層の厚さが大きく異なる。そのため、光出力データベースを参照して、フォーカスサーチの際に検出した反射率、フォーカスエラー信号のＳ字カーブの数、フォーカスサーチに要した時間などを比較すれば、光ディスク２の種類をおおよそ判別することが可能である。
【００４１】
フォーカスサーチの結果に基づいて、光ディスク２が３層以上の記録層を有するＢＤＸＬであると判別されたとき（ステップＳ１０３でＹｅｓ）、光出力設定回路部３０２は、光出力データテーブルを参照して、光ピックアップ部１０の再生パワーを、ＢＤＸＬと同じ規格の光ディスク記録媒体（ここではＢＤ）であるとともに単層又は２層の記録層を有するＢＤＳＬ又はＢＤＤＬ用の再生パワーに設定する。（ステップＳ１０４）。こうすれば、光ディスク装置１に光ディスク２がマウントされたとき、光ディスク２が３層以上の記憶層を有するＢＤＸＬ以外の光ディスク記録媒体であるにもかかわらず、光ディスク２がＢＤＸＬであると誤って判別された場合であっても、再生パワーによる光ディスク２の劣化や破壊を防止することができる。
【００４２】
一方、フォーカスサーチの結果に基づいて、光ディスク２が３層以上の記録層を有するＢＤＸＬではないと判別されたとき（ステップＳ１０３でＮｏ）、光出力設定回路部３０２は、光出力データテーブルを参照して、光ピックアップ部１０の再生パワーを、ステップＳ１０２において判別された光ディスク２の種類に対応する再生パワーに設定する（ステップＳ１０５）。たとえば、ステップＳ１０２において光ディスク２がフォーカスサーチの結果に基づきＢＤＳＬと判別された場合、光出力設定回路部３０２はＢＤＳＬ用の再生パワーに設定する。
【００４３】
また、光出力設定回路部３０２は、メモリ２０から切替情報を読み出し、光ピックアップ部１０の再生パワーがＢＤＸＬ用の再生パワーに切り替え済みでないことを切替情報に設定してメモリ２０に上書きで格納する。（ステップＳ１０６）。そして、光出力設定回路部３０２は、メモリ２０に格納されている光出力データテーブルを参照し、ＬＤ１０１の光出力制御に必要なパラメータ（たとえば、サーボゲインやＲＦ信号のレベルなど）を再生パワーに応じて調整する。（ステップＳ１０７）
【００４４】
次に、再生制御回路部３０３は、光出力設定回路部３０２が設定した再生パワーでの再生動作により、光ディスク２の内周領域（たとえば、ＢＤのＰＩＣ領域）から物理情報を読み出す（ステップＳ１０８）。取得した物理情報には、光ディスク２の管理情報（たとえば、光ディスク２の種類など）を示す光ディスク情報が含まれている。
【００４５】
判別回路部３０１は、光ディスク情報が示す光ディスク２の種類がＢＤＸＬであるか否かを判別する（ステップＳ１０９）。光ディスク２がＢＤＸＬでないと判別される場合（ステップＳ１０９でＮｏ）、制御回路部３０が処理を終了する。なお、制御回路部３０が処理を終了する前に、光出力設定回路部３０１は、光ディスク情報が示す光ディスク２の種類に対応する再生パワーを光ピックアップ部１０に再設定してもよい。
【００４６】
また、光ディスク２がＢＤＸＬであると判別される場合（ステップＳ１０９でＹｅｓ）、判別回路部３０１はさらに、メモリ２０に格納されている切替情報を参照し、光ピックアップ部１０の再生パワーがＢＤＸＬ用の再生パワーに切り替え済みであることが切替情報に設定されているか否かを判別する（ステップＳ１１０）。ＢＤＸＬ用の再生パワーに切り替え済みであると判別される場合（ステップＳ１１０でＹｅｓ）、制御回路部３０が処理を終了する。
【００４７】
また、ＢＤＸＬ用の再生パワーに切り替え済みでないと判別される場合（ステップＳ１１０でＮｏ）、光出力設定回路部３０２が、ＢＤＸＬ用の再生パワーを光ピックアップ部１０に設定するとともに、切替情報を切り替え済みに設定してメモリ２０に上書きで格納する（ステップＳ１１２）。そして、制御回路部３０が処理をステップＳ１０７に戻す。
＜第２実施形態＞
【００４８】
次に、光ディスク装置１に光ディスク２がマウントされたときに、光ディスク装置１が光ピックアップ部１０に再生パワーを設定する方法の第２実施形態について説明する。図３は、光ディスク装置の再生パワー設定方法の第２実施形態を示すフローチャートである。第２実施形態では、メモリ２０に格納されている切替情報を利用せず、光ディスク２から読み出された光ディスク情報が示す光ディスク２の種類がＢＤＸＬであると判別された場合には、ＢＤＸＬ用の再生パワーが光ピックアップ部１０に設定される。そして、ＬＤ１０１の光出力制御に必要なパラメータ（たとえば、サーボゲインやＲＦ信号のレベルなど）が再生パワーに応じて調整された後に、処理が終了する。それ以外は、第１の実施形態と同様の動作をする。
【００４９】
まず、光ディスク装置１に光ディスク２がマウント（装着）されると、光ピックアップ部１０が光ディスク２に対してフォーカスサーチを行う（ステップＳ２０１）。次に、判別回路部３０１が、フォーカスサーチの結果に基づいて、光ディスク２の種類を判別する（ステップＳ２０２）。
【００５０】
フォーカスサーチの結果に基づいて、光ディスク２が３層以上の記録層を有するＢＤＸＬであると判別されたとき（ステップＳ２０３でＹｅｓ）、光出力設定回路部３０２は、光出力データテーブルを参照して、光ピックアップ部１０の再生パワーを、ＢＤＸＬと同じ規格の光ディスク記録媒体（ここではＢＤ）であるとともに単層又は２層の記録層を有するＢＤＳＬ又はＢＤＤＬ用の再生パワーに設定する。（ステップＳ２０４）。こうすれば、光ディスク装置１に光ディスク２がマウントされたとき、光ディスク２が３層以上の記憶層を有するＢＤＸＬ以外の光ディスク記録媒体であるにもかかわらず、光ディスク２がＢＤＸＬであると誤って判別された場合であっても、再生パワーによる光ディスク２の劣化や破壊を防止することができる。
【００５１】
一方、フォーカスサーチの結果に基づいて、光ディスク２が３層以上の記録層を有するＢＤＸＬではないと判別されたとき（ステップＳ２０３でＮｏ）、光出力設定回路部３０２は、光出力データテーブルを参照して、光ピックアップ部１０の再生パワーを、ステップＳ２０２において判別された光ディスク２の種類に対応する再生パワーに設定する（ステップＳ２０５）。
【００５２】
また、光出力設定回路部３０２は、メモリ２０に格納されている光出力データテーブルを参照し、設定した再生パワーに応じて、ＬＤ１０１の光出力制御に必要なパラメータ（たとえば、サーボゲインやＲＦ信号のレベルなど）を調整する。（ステップＳ２０７）そして、再生制御回路部３０３は、光出力設定回路部３０２が設定した再生パワーでの再生動作により、光ディスク２の内周領域（たとえば、ＢＤのＰＩＣ領域）から物理情報を読み出す（ステップＳ２０８）。
【００５３】
次に、判別回路部３０１は、光ディスク情報が示す光ディスク２の種類がＢＤＸＬであるか否かを判別する（ステップＳ２０９）。光ディスク２がＢＤＸＬでないと判別される場合（ステップＳ２０９でＮｏ）、制御回路部３０が処理を終了する。なお、制御回路部３０が処理を終了する前に、光出力設定回路部３０１は、光ディスク情報が示す光ディスク２の種類に対応する再生パワーを光ピックアップ部１０に再設定してもよい。
【００５４】
また、光ディスク２がＢＤＸＬであると判別される場合（ステップＳ２０９でＹｅｓ）、光出力設定回路部３０２がＢＤＸＬ用の再生パワーを光ピックアップ部１０に設定する（ステップＳ２１２）。そして、光出力設定回路部３０２は、メモリ２０に格納されている光出力データテーブルを参照し、設定した再生パワーに応じて、ＬＤ１０１の光出力制御に必要なパラメータ（たとえば、サーボゲインやＲＦ信号のレベルなど）を調整する（ステップＳ２１５）。そして、制御回路部３０が処理を終了する。
【００５５】
以上、本発明について実施形態をもとに説明した。これら実施形態は例示であり、その各構成要素や各処理の組み合わせに色々な変形例が可能であり、本発明の範囲にあることは当業者に理解されるところである。
【符号の説明】
【００５６】
１      光ディスク装置
１０      光ピックアップ部
１０１      レーザダイオード、ＬＤ
１０２      ビームスプリッタ
１０３      対物レンズ
１０４      アクチュエータ
１０５      フォトダイオード、ＰＤ
２０      メモリ（記憶部）
３０      制御回路部
３０１      判別回路部
３０２      光出力設定回路部
３０３      再生制御回路部
４０      ＬＤドライバ
５０      スレッドモータ
６０      スピンドルモータ
７０      サーボ回路部
８０      映像音声処理回路部
９０      出力回路部
２      光ディスク（光ディスク記録媒体）
【図１】
2012256396.tif 000003
【図２】
2012256396.tif 000004
【図３】
2012256396.tif 000005